(57)【要約】【課題】本発明はエアクリーナーを開示した。【解決手段】空間に固定設置される連接棒を含み、前記連接棒の右端面にリンクブロックが固定設置され、前記リンクブロックの中に前後貫通する貫通筐体が固定設置され、前記リンクブロックの中の上下側に開け口が前記リンクブロックの円心から離れるばね筐体が鏡面対称的に固定設置され、前記ばね筐体の中にばねが弾力性で設置され、前記リンクブロックの円心から離れる前記ばね筐体の端壁の中に前記リンクブロックの中に位置し、鏡面且つ環状で設置されるリング筐体が連通設置され、前記リンクブロックの上下側に連接ブロックが鏡面対称的に固定設置され、前記連接ブロックの中に上下貫通する連通筐体が固定設置される。本装置が多種の回転構造の組み合わせを採用し、空間取付けラグサポートに組み合わせる方法を採用し、多方向の空気浄化機能を実現し、装置の信頼性を効果的に高める。【選択図】図１
2020003200.tif 000002
【特許請求の範囲】
【請求項１】
エアクリーナーは、空間に固定設置される連接棒を含み、前記連接棒の右端面にリンクブロックが固定設置され、前記リンクブロックの中に前後貫通する貫通筐体が固定設置され、前記リンクブロックの中の上下側に開け口が前記リンクブロックの円心から離れるばね筐体が鏡面対称的に固定設置され、前記ばね筐体の中にばねが弾力性で設置され、前記リンクブロックの円心から離れる前記ばね筐体の端壁の中に前記リンクブロックの中に位置し、鏡面且つ環状で設置されるリング筐体が連通設置され、前記リンクブロックの上下側に連接ブロックが鏡面対称的に固定設置され、前記連接ブロックの中に上下貫通する連通筐体が固定設置され、前記連通筐体が前記リング筐体に連通され、前記連通筐体の中に延伸棒が設置され、前記延伸棒の中に開け口が前記リンクブロックの円心方向に向くスライド筐体が固定設置され、前記スライド筐体の中にスライド接続ブロックがスライドで設置され、前記スライド接続ブロックの前端面の中に電機で駆動される転輪が固定設置され、前記リンクブロックの円心から離れる前記スライド接続ブロックの端面の中にねじ山軸が回転で設置され、前記ねじ山軸が前記延伸棒にねじ山で係合接続され且つ外部空間に伸び出し、前記リンクブロックの円心方向から離れる前記ねじ山軸の端面に竜頭が固定設置され、前記連接ブロックの左右端面に左右対称のサイドブロックが固定設置され、前記サイドブロックの中に回転棒が回転で設置され、前記回転棒の中に前記延伸棒に回転で係合接続される別の前記回転棒が回転で設置され、隣る前記ねじ山軸の間がばねで弾性接続され、前記リング筐体の中に上下鏡面対称のスライドブロックがスライドで設置され、前記スライドブロックの中にラインコードが固定設置され、ラインコードが前記ばね筐体の中にあるばねに固定され、ラインコードが前記転輪の外輪に数回巻いて固定され、前記リンクブロックの円心から離れる前記スライドブロックの端面にベースプレートが固定設置され、前記ベースプレートの中に回転軸が回転で設置され、前記リンクブロックの円心から離れる前記ベースプレートの端面に凸ブロックが固定設置され、前記リンクブロックの円心から離れる前記凸ブロックの端面に回転電機が固定設置され、前記回転電機の輸出軸が前記凸ブロックに貫通し且つ前記回転軸に動力で接続され、前記回転軸の間にリンクブロックが固定設置され、前記リンクブロックの中に左右貫通する通貫筐体が固定設置され、前記通貫筐体の上下端壁の中に上下対称のシュートが連通設置され、前記シュートの内壁の中に環形で設置されるリング溝が連通設置され、リング溝の中にスイベルがスライドで設置され、前記スイベルの中に電機で駆動される動力扇風機が固定設置され、前記シュートの中にスライディングプレートが取付け設置され、前記スライディングプレートの間に接続軸が固定設置され、前記リンクブロックの円心に近い前記スライディングプレートの端面の中に駆動電機が固定設置され、前記リンクブロックの円心に近い駆動電機の輸出軸の端面に摩擦コーンが固定設置され、摩擦コーンが前記スイベルに当接し摩擦で伝動され、前記通貫筐体の上下端壁内に前後貫通の連通溝が連通設置され、連通溝の中に取付けブロックがスライドで設置され、前記取付けブロックの間に発散網が連通設置され、前記取付けブロックの中に貫通する連結ホースが固定設置され、連通溝の右端壁内に間隔筐体が連通設置され、前記間隔筐体の上下端壁の中に上下対称のばね溝が連通設置され、前記間隔筐体の右端壁の中に接続パイプが連通設置され、前記接続パイプの中にオンオフ弁が連通設置され、前記ばね溝の中に押し板がスライドで設置され、前記押し板の左端面に頂玉が固定設置され、前記取付けブロックの右端面に凹溝が固定設置され、前記頂玉が凹溝に当接し、前記取付けブロックの右端面の中にある凹溝が凹形構造であり、凹溝が前記連結ホースに連通され、前記頂玉が凹溝に当接するとき前記連結ホースに伸びて挿入しなく、前記スイベルの左端面に摩擦パッドが環形設置され、摩擦パッドが前記摩擦コーンに摩擦伝動され、前記接続パイプがお互いに連通し且つ前記接続パイプの中に循環ポンプが連通設置される。
【発明の詳細な説明】
【技術分野】
【０００１】
本発明は家電分野を取り上げて、具体的にはエアクリーナーである。
【背景技術】
【０００２】
環境の汚染が激化し、空気中の塵や浮遊粒子が増加され、既存のエアクリーナーが箱構造で地上に設置され、サスペンション式構造で空間に統合されることが少なく、実際の使用に良い調整性がなく、 本装置がこの問題を効果的に解決した。
【先行技術文献】
【特許文献】
【０００３】
【特許文献１】中国特許出願公開第106839143号明細書
【発明の概要】
【発明が解決しようとする課題】
【０００４】
本発明の目的はエアクリーナーを提供し、それは上記の現在の技術中の問題を解決できる。
【課題を解決するための手段】
【０００５】
本発明によるエアクリーナーは、空間に固定設置される連接棒を含み、前記連接棒の右端面にリンクブロックが固定設置され、前記リンクブロックの中に前後貫通する貫通筐体が固定設置され、前記リンクブロックの中の上下側に開け口が前記リンクブロックの円心から離れるばね筐体が鏡面対称的に固定設置され、前記ばね筐体の中にばねが弾力性で設置され、前記リンクブロックの円心から離れる前記ばね筐体の端壁の中に前記リンクブロックの中に位置し、鏡面且つ環状で設置されるリング筐体が連通設置され、前記リンクブロックの上下側に連接ブロックが鏡面対称的に固定設置され、前記連接ブロックの中に上下貫通する連通筐体が固定設置され、前記連通筐体が前記リング筐体に連通され、前記連通筐体の中に延伸棒が設置され、前記延伸棒の中に開け口が前記リンクブロックの円心方向に向くスライド筐体が固定設置され、前記スライド筐体の中にスライド接続ブロックがスライドで設置され、前記スライド接続ブロックの前端面の中に電機で駆動される転輪が固定設置され、前記リンクブロックの円心から離れる前記スライド接続ブロックの端面の中にねじ山軸が回転で設置され、前記ねじ山軸が前記延伸棒にねじ山で係合接続され且つ外部空間に伸び出し、前記リンクブロックの円心方向から離れる前記ねじ山軸の端面に竜頭が固定設置され、前記連接ブロックの左右端面に左右対称のサイドブロックが固定設置され、前記サイドブロックの中に回転棒が回転で設置され、前記回転棒の中に前記延伸棒に回転で係合接続される別の前記回転棒が回転で設置され、隣る前記ねじ山軸の間がばねで弾性接続され、前記リング筐体の中に上下鏡面対称のスライドブロックがスライドで設置され、前記スライドブロックの中にラインコードが固定設置され、ラインコードが前記ばね筐体の中にあるばねに固定され、ラインコードが前記転輪の外輪に数回巻いて固定され、前記リンクブロックの円心から離れる前記スライドブロックの端面にベースプレートが固定設置され、前記ベースプレートの中に回転軸が回転で設置され、前記リンクブロックの円心から離れる前記ベースプレートの端面に凸ブロックが固定設置され、前記リンクブロックの円心から離れる前記凸ブロックの端面に回転電機が固定設置され、前記回転電機の輸出軸が前記凸ブロックに貫通し且つ前記回転軸に動力で接続される。
【０００６】
更の技術プラン、前記回転軸の間にリンクブロックが固定設置され、前記リンクブロックの中に左右貫通する通貫筐体が固定設置され、前記通貫筐体の上下端壁の中に上下対称のシュートが連通設置され、前記シュートの内壁の中に環形で設置されるリング溝が連通設置され、リング溝の中にスイベルがスライドで設置され、前記スイベルの中に電機で駆動される動力扇風機が固定設置され、前記シュートの中にスライディングプレートが取付け設置され、前記スライディングプレートの間に接続軸が固定設置され、前記リンクブロックの円心に近い前記スライディングプレートの端面の中に駆動電機が固定設置され、前記リンクブロックの円心に近い駆動電機の輸出軸の端面に摩擦コーンが固定設置され、摩擦コーンが前記スイベルに当接し摩擦で伝動される。
【０００７】
更の技術プラン、前記通貫筐体の上下端壁内に前後貫通の連通溝が連通設置され、連通溝の中に取付けブロックがスライドで設置され、前記取付けブロックの間に発散網が連通設置され、前記取付けブロックの中に貫通する連結ホースが固定設置され、連通溝の右端壁内に間隔筐体が連通設置され、前記間隔筐体の上下端壁の中に上下対称のばね溝が連通設置され、前記間隔筐体の右端壁の中に接続パイプが連通設置され、前記接続パイプの中にオンオフ弁が連通設置され、前記ばね溝の中に押し板がスライドで設置され、前記押し板の左端面に頂玉が固定設置され、前記取付けブロックの右端面に凹溝が固定設置され、前記頂玉が凹溝に当接する。
【０００８】
更の技術プラン、前記取付けブロックの右端面の中にある凹溝が凹形構造であり、凹溝が前記連結ホースに連通され、前記頂玉が凹溝に当接するとき前記連結ホースに伸びて挿入しない。
【発明の効果】
【０００９】
本発明の有益な効果は下記の通りである。本発明装置は初期状態に、前記回転電機、駆動電機と転輪が作業停止状態であり、前記オンオフ弁がオフ状態であり、前記スライド接続ブロックが前記リンクブロックの円心方向に近い限界位置にあり、これにより上記構造を初期状態に初期位置に位置させ、引き続きの作業中に調整することができ、装置の作業調和性を効果的に高める。
【００１０】
装置が運行する時、装置を前記連接棒によって空間に掛け、この時装置で空気の消毒浄化を行い、前記オンオフ弁がオープンされ、消毒液体が前記接続パイプを通じて前記間隔筐体に進入し、この時前記間隔筐体が前記連結ホースに連通するため、この時消毒液体が前記発散網と連結ホースの間に上から下まで移動し、前記接続パイプの中に再循環ポンプが連通設置され、消毒液体を前記発散網の中に同方向で循環させ、この時消毒液体を拡散する必要があり、前記駆動電機が作動後に前記摩擦コーンの回転を駆動し、前記摩擦コーンが回転後に前記スイベルを連れて回転させ、前記動力扇風機のファンブレード方向に一定の角度が形成するため、左側の風を左から右まで吹かせ、消毒液体を風により拡散させ、この時前記リンクブロックを一定の角度に回転する必要があれば、前記回転電機が作動後に前記回転軸を駆動し回転させた後、前記リンクブロックを指定な角度に回転させることができ、この時ラインコードを通じて前記スライドブロックを引く必要があれば、前記リンクブロックをほかの角度に回転させる時、前記転輪が作動後にラインコードを前記転輪の外表面に円に巻かせ、前記スライドブロックを指定な位置に移動させ、この時前記ばね筐体の中にあるばねが引っ張られ、装置が角度回復する時ばねが良い跳返機能を持ち、装置をリセットさせ、この時前記スライディングプレートとスイベルを分解する必要があれば、前記スライディングプレートを前記シュートの取付け装置から分解させ、前記スライディングプレートを取り外し、その同時に前記スイベルを引き出せばよく、この時前記延伸棒とスライド接続ブロックの位置を調整する必要があれば、直接に前記連通筐体の中から延伸棒を引き出し、この時前記回転棒の直接協働のため、前記延伸棒が引き出された後に復位させることができ、前記スライド接続ブロックを調整する必要があれば、前記竜頭を捻り、前記スライド接続ブロックを上下で指定な位置に移動させばよく、これにより多角度調整と消毒液体拡散の方法を採用し空気の浄化効果を高める。
【００１１】
本発明の構造が簡単で、操作が便利で、本装置が多種の回転構造の組み合わせを採用し、空間取付けラグサポートに組み合わせる方法を採用し、多方向の空気浄化機能を実現し、装置の信頼性を効果的に高める。
【００１２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図面の簡単な説明】
【００１３】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１４】
【図１】図1は本発明のエアクリーナーの全体構造概略図である。
【図２】図2は図1のA方向の概略図である。
【図３】図3は図1のBの拡大概略図である。
【図４】図4は図1のCの拡大概略図である。
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図1~4が示すように、本発明によるエアクリーナーは、空間に固定設置される連接棒100を含み、前記連接棒100の右端面にリンクブロック118が固定設置され、前記リンクブロック118の中に前後貫通する貫通筐体115が固定設置され、前記リンクブロック118の中の上下側に開け口が前記リンクブロック118の円心から離れるばね筐体101が鏡面対称的に固定設置され、前記ばね筐体101の中にばねが弾力性で設置され、前記リンクブロック118の円心から離れる前記ばね筐体101の端壁の中に前記リンクブロック118の中に位置し、鏡面且つ環状で設置されるリング筐体116が連通設置され、前記リンクブロック118の上下側に連接ブロック307が鏡面対称的に固定設置され、前記連接ブロック307の中に上下貫通する連通筐体306が固定設置され、前記連通筐体306が前記リング筐体116に連通され、前記連通筐体306の中に延伸棒300が設置され、前記延伸棒300の中に開け口が前記リンクブロック118の円心方向に向くスライド筐体305が固定設置され、前記スライド筐体305の中にスライド接続ブロック309がスライドで設置され、前記スライド接続ブロック309の前端面の中に電機で駆動される転輪308が固定設置され、前記リンクブロック118の円心から離れる前記スライド接続ブロック309の端面の中にねじ山軸303が回転で設置され、前記ねじ山軸303が前記延伸棒300にねじ山で係合接続され且つ外部空間に伸び出し、前記リンクブロック118の円心方向から離れる前記ねじ山軸303の端面に竜頭304が固定設置され、前記連接ブロック307の左右端面に左右対称のサイドブロック301が固定設置され、前記サイドブロック301の中に回転棒302が回転で設置され、前記回転棒302の中に前記延伸棒300に回転で係合接続される別の前記回転棒302が回転で設置され、隣る前記ねじ山軸303の間がばねで弾性接続され、前記リング筐体116の中に上下鏡面対称のスライドブロック106がスライドで設置され、前記スライドブロック106の中にラインコードが固定設置され、ラインコードが前記ばね筐体101の中にあるばねに固定され、ラインコードが前記転輪308の外輪に数回巻いて固定され、前記リンクブロック118の円心から離れる前記スライドブロック106の端面にベースプレート105が固定設置され、前記ベースプレート105の中に回転軸104が回転で設置され、前記リンクブロック118の円心から離れる前記ベースプレート105の端面に凸ブロック102が固定設置され、前記リンクブロック118の円心から離れる前記凸ブロック102の端面に回転電機103が固定設置され、前記回転電機103の輸出軸が前記凸ブロック102に貫通し且つ前記回転軸104に動力で接続される。
【００１８】
有益的には、その中には、前記回転軸104の間にリンクブロック117が固定設置され、前記リンクブロック117の中に左右貫通する通貫筐体111が固定設置され、前記通貫筐体111の上下端壁の中に上下対称のシュート114が連通設置され、前記シュート114の内壁の中に環形で設置されるリング溝が連通設置され、リング溝の中にスイベル113がスライドで設置され、前記スイベル113の中に電機で駆動される動力扇風機112が固定設置され、前記シュート114の中にスライディングプレート107が取付け設置され、前記スライディングプレート107の間に接続軸108が固定設置され、前記リンクブロック118の円心に近い前記スライディングプレート107の端面の中に駆動電機110が固定設置され、前記リンクブロック118の円心に近い駆動電機110の輸出軸の端面に摩擦コーン109が固定設置され、摩擦コーン109が前記スイベル113に当接し摩擦で伝動される。
【００１９】
有益的には、その中には、前記通貫筐体111の上下端壁内に前後貫通の連通溝が連通設置され、連通溝の中に取付けブロック202がスライドで設置され、前記取付けブロック202の間に発散網200が連通設置され、前記取付けブロック202の中に貫通する連結ホース201が固定設置され、連通溝の右端壁内に間隔筐体204が連通設置され、前記間隔筐体204の上下端壁の中に上下対称のばね溝207が連通設置され、前記間隔筐体204の右端壁の中に接続パイプ205が連通設置され、前記接続パイプ205の中にオンオフ弁206が連通設置され、前記ばね溝207の中に押し板203がスライドで設置され、前記押し板203の左端面に頂玉208が固定設置され、前記取付けブロック202の右端面に凹溝が固定設置され、前記頂玉208が凹溝に当接する。
【００２０】
有益的には、その中には、前記取付けブロック202の右端面の中にある凹溝が凹形構造であり、凹溝が前記連結ホース201に連通され、前記頂玉208が凹溝に当接するとき前記連結ホース201に伸びて挿入しない。
【００２１】
有益的には、その中には、前記スイベル113の左端面に摩擦パッドが環形設置され、摩擦パッドが前記摩擦コーン109に摩擦伝動され、前記接続パイプ205がお互いに連通し且つ前記接続パイプ205の中に循環ポンプが連通設置される。
【００２２】
本発明装置は初期状態に、前記回転電機103、駆動電機110と転輪308が作業停止状態であり、前記オンオフ弁206がオフ状態であり、前記スライド接続ブロック309が前記リンクブロック118の円心方向に近い限界位置にある。
【００２３】
装置が運行する時、装置を前記連接棒100によって空間に掛け、この時装置で空気の消毒浄化を行い、前記オンオフ弁206がオープンされ、消毒液体が前記接続パイプ205を通じて前記間隔筐体204に進入し、この時前記間隔筐体204が前記連結ホース201に連通するため、この時消毒液体が前記発散網200と連結ホース201の間に上から下まで移動し、前記接続パイプ205の中に再循環ポンプが連通設置され、消毒液体を前記発散網200の中に同方向で循環させ、この時消毒液体を拡散する必要があり、前記駆動電機110が作動後に前記摩擦コーン109の回転を駆動し、前記摩擦コーン109が回転後に前記スイベル113を連れて回転させ、前記動力扇風機112のファンブレード方向に一定の角度が形成するため、左側の風を左から右まで吹かせ、消毒液体を風により拡散させ、この時前記リンクブロック117を一定の角度に回転する必要があれば、前記回転電機103が作動後に前記回転軸104を駆動し回転させた後、前記リンクブロック117を指定な角度に回転させることができ、この時ラインコードを通じて前記スライドブロック106を引く必要があれば、前記リンクブロック117をほかの角度に回転させる時、前記転輪308が作動後にラインコードを前記転輪308の外表面に円に巻かせ、前記スライドブロック106を指定な位置に移動させ、この時前記ばね筐体101の中にあるばねが引っ張られ、装置が角度回復する時ばねが良い跳返機能を持ち、装置をリセットさせ、この時前記スライディングプレート107とスイベル113を分解する必要があれば、前記スライディングプレート107を前記シュート114の取付け装置から分解させ、前記スライディングプレート107を取り外し、その同時に前記スイベル113を引き出せばよく、この時前記延伸棒300とスライド接続ブロック309の位置を調整する必要があれば、直接に前記連通筐体306の中から延伸棒300を引き出し、この時前記回転棒302の直接協働のため、前記延伸棒300が引き出された後に復位させることができ、前記スライド接続ブロック309を調整する必要があれば、前記竜頭304を捻り、前記スライド接続ブロック309を上下で指定な位置に移動させばよい。
【図１】
2020003200.tif 000003
【図２】
2020003200.tif 000004
【図３】
2020003200.tif 000005
【図４】
2020003200.tif 000006